(57)【要約】【課題】　多機能担持部材からなる被服芯材をその効果を発揮し得る箇所に選択的に縫着又は融着した背広型被服の上衣原型の構造を提供する。【解決手段】　背広型被服の上衣原型の取り付け部位に、表裏面を織編物地等とし、中間層がトルマリン鉱石粉粒体を混合したフォ−ムラバ−の層着シ−ト、或いはシリコ−ンコ−ティング加工の層着シ─ト、又はＳＢＲゴム発泡体をコ−ティング加工後、孔空け処理した層着シ−トである多機能担持部材を、縫着又は融着した構成とする。【効果】　着装により、マイナスイオン効果を発揮し長期間持続できる為、健康保持及び治療脱臭又は殺菌効果、電磁波の還元中和等の多機能性を発揮する。             【選択図】　図１
2004036075.tif 000002
【特許請求の範囲】
【請求項１】
　背広型被服の下衣ズボン原型において、少なくとも脇ポケット及び／又はヒップポケットの周端縁、若しくはベルト帯布地のいずれも人体に接する内側近傍のいずれかを、表裏面を不織布若しくは織編物地とし、中間層がトルマリン鉱石の粉粒体を混合したフォ−ムラバ−である層着シ−ト、或いは不織布若しくは織編物地にトルマリン鉱石の粉粒体を混合したシリコ−ンゴムをコ−ティング加工してなる層着シ−ト、叉はトルマリン鉱石の粉粒体を混合したＳＢＲゴム発泡体をコ−ティング加工後、パンティング孔空け処理してなる層着シ−トからなる多機能担持部材の構成としたことを特徴とする多機能性背広型被服の構造。
【請求項２】
背広型被服の下衣のベルト帯布地の内側に、不織布若しくは織編物地にトルマリン鉱石の粉粒体を混合したシリコ−ンゴムをコ−ティング加工してなる層着シ−ト、叉はトルマリン鉱石の粉粒体を混合したＳＢＲゴム発泡体をコ−ティング加工後、パンティング孔空け処理してなる層着シ−トからなる多機能担持部材からなる貼着シ−トを連続又は不連続に接着若しくは貼付したことを特徴とする多機能性背広型被服の構造。
【請求項３】
　前記背広型被服がワ−キングジャケット若しくはワ−キングウェアの下衣ズボン原型である請求項１〜２のいずれか記載の多機能性背広型被服の構造。
【発明の詳細な説明】
【技術分野】
【０００１】
　本発明は、多機能性背広型被服の構造に関し、さらに詳しくは、背広型被服の下衣ズボン原型或いは下衣のベルト帯布地の内側に、トルマリン鉱石粉粒体を混合した層着シ−ト、或いはトルマリン鉱石の粉粒体を混合したシリコ−ンゴムをコ−ティング加工した層着シ−ト、叉はＳＢＲゴム発泡体をコ−ティング加工後、パンティング孔空け加工した層着シートからなる多機能担持部材である被服芯材を取り付け部位に適宜選択的に縫着叉は融着した背広型被服の構造に関する。
【背景技術】
【０００２】
　一般に、背広型被服に要求される機能としては、生活動作によって人体各部の寸法変化に対応し寸法上のゆとり量をいかに設定し、日常勤務動作に支障を来さないか、例えば静止時のシルエットを美しくする技術では、運動性機能は十分でなく着くずれを生じ易く、この為伸縮性素材を使用することも行われるが、人体に圧迫感を与え円滑な運動性を阻害し、場合によっては発汗を誘発し易く、更に圧迫感を強める。しかしこれら要因を改良すに対するる機能性は、主として被服の運動性に対する機能を求めることに重点が向けられてきている。現代社会生活では、被服の生活動作に対応する運動性機能の向上に止まらず、社会機構は益々複雑多岐となっており、ビジネスでの緊張、ストレスや肩凝り、頭痛、或いは職場環境でも喫煙や排気ガス等による環境汚染、さらにパソコン、テレビ等の他、爆発的に拡がっているハンドフォンの普及でも、電磁波が人体に及ぼす影響もマスコミに相次いで取り上げられ、電磁波や磁界の人体への影響も医学的な解明がなされつつあり、世人の関心が高まっている。
【特許文献１】実用新案登録第３０２２１５０号公報
【特許文献２】実開平２−３１５号公報
【発明の開示】
【発明が解決しようとする課題】
【０００３】
　このように、近年、これら環境障害への対応、さらに一歩踏み込んで体質改善や健康増進の為、例えば衣類、肌着類で種々の提案がなされているが、特に背広型被服では着用時のシルエット、運動性、着心地等の着用面に重点がおかれ、ハンドフォンからの電磁波や磁界の人体への影響が昨今の健康指向の流れからも我が国でその取り組みが遅れていた。　
【０００４】
　たとえば、ワ−キングジャケット若しくはワ−キングウェアを含めたいわゆる背広型被服或いは着装上も内在関係にあるワイシャツ又はベストの場合、勤務中を通じ着装を余儀なくされる人々は少なくないが、被服本来の運動機能と併せ、ストレスや頭痛、肩凝り、腰痛等、或いは電磁波障害や静電気の影響などを含め、着装者の人体疲労の回復、体質改善、さらに健康増進の為、上記のいわゆる背広型被服の上衣及び下衣並びにワイシャツの他、ベルトやネクタイ迄を含めた被服身回品の如き被服一式について、広く現代の複雑多岐な社会環境に対応し、上記の疲労回復、人体の肩凝りや腰痛等の治癒的効果、電磁波の吸収減衰、静電気の中和減衰等の作用と共に、近年マイナスイオンの放出や赤外線の放射等の多機能性を発揮できるいわゆる環境対応型の着装形態の被服の登場が望まれている。
【課題を解決するための手段】
【０００５】
　本発明は、上記のような問題点にかんがみ到達したものであって、本発明は、ワ−キングジャケット若しくはワ−キングウェアを含めたいわゆる背広型被服の下衣、すなわちズ　ボン原型或いは下衣のベルト帯布地のいずれも人体に接する内側近傍に、トルマリン鉱石の粉粒体を混合したシリコ−ンゴムをコ−ティング加工した層着シ−ト、或いはトルマリン鉱石の粉粒体を混合したＳＢＲゴム発泡体をコ−ティング加工後、パンティング孔空け処理し機能性担持部材からなる層着シ−トを被服芯地部材とし、取り付け部位に適宜その効果的な機能を発揮し得る取り付け箇所の取捨選定、並びに着衣上の違和感等の解消、クリ−ニングや耐洗濯堅牢度の維持、該芯地部材のコスト迄を含め選択的に縫着又は融着のいずれかの手段により取り付け、本発明に係る背広型被服の構造が達成される。
【０００６】
　一般に芯地は衣服の形くずれを防ぎ、表地等に張りを持たせ、また、着装者の体型を整えて衣服の造形美を形づくるが、従来、背広型紳士服用には主に張りの強い芯地が採択されており、婦人服用の芯地は多様となっている。
【０００７】
　また、本発明において、該多機能担持部材の取り付け構造は、マイナスイオンの放出の場合、例えば人体側に接するか若しくは近接部位が適当な条件設定とみられるが、芯地本来の保形機能と共に、別途マイナスイオン放出による疲労回復等、或いは近年ＯＡ機器や携帯電話からの電磁波の吸収減衰や中和現象、並びにマイナスイオンによる脱臭作用により、職場での喫煙の脱臭防止、脇部発汗での脱臭効果など、また、被服の衿部やカフス箇所での汚れ抑止、さらに被服保管や格納時での殺菌作用等の諸機能を保持せしめ得るように、取り付け部位を選択的、かつコストを含め機能性を有効に発揮できるための構成とすることができる。
【０００８】
　芯地の種類は、織物芯地，接着織物芯地、不織布芯とその接着芯地、編物芯地とその接着芯地に大別され、或る場合は縫い目やダーツの縫い代で代行させることも可能である。　
【０００９】
　本発明における芯地部材の構成では、表裏面を不織布若しくは織編物地とし、中間層がトルマリン鉱石の粉粒体を混合したフォ−ムラバ−である層着シ−ト、或いはトルマリン鉱石の粉粒体を混合したシリコ−ンゴムをコ−ティング加工してなる層着シ−ト、又はトルマリン鉱石の粉粒体を混合したＳＢＲゴム発泡体をコ−ティング加工後、パンティング孔空け処理した層着シ−トからなる被服芯地部材を、芯地の取付箇所の少なくとも一部に取り付けた構成とする。
【００１０】
　背広型被服の芯地には、前芯、背芯、衿芯、袖裾芯、袖山芯、袖口芯、あき口用芯、ベルト芯、ポケット口芯、ボタン穴芯等があり、芯地はその目的により選ばれている。その他、表地のための裏地や芯や芯地の張り具合を調節する増し芯等も用いられる。また、繊維素材は、強力スパン・レーヨン芯、ナイロン芯、ポリエステル芯、ガラス繊維芯等がある。それぞれの繊維を単独又は混紡、交織して用いられることもある。さらに、幅による芯地は、シングル幅、ダブル幅、経（たて）地や斜め地に裁断した細幅芯、テープ芯、レース芯などがある。
【発明の効果】
【００１１】
　本発明は上記のような構成からなり、背広型被服の下衣ズボン原型において、人体に比較的接近する箇所で、かつ芯地部材の形態として取り付け配設して着衣上も違和感を排除した構造からなり、健康治療や疲労回復等に有用なマイナスイオン効果を発揮し、その効果を長期間持続できる。この為、該被服の着装によって、健康治療効果ならびに喫煙の脱臭、或いは保管、格納時での殺菌効果、電磁波の還元中和等の多機能性を発揮する。
【００１２】
　また、芯地に必要条件である耐洗濯堅牢性、耐ドライクリ−ニング性、通気性等の諸性能を充足し、併せて縫製作業においても、従来の工程処理やミシン縫い等の装置の改装の必要なく、コスト低減を図り得る等の効果を奏する。
【発明を実施するための最良の形態】
【００１３】
　本発明では、多機能担持部材からなる層着シ−ト若しくは薄層シ−トの芯地を縫着又は融着する部位は、従来背広型被服のズボン原型並びにポケット又はベルト帯などが適当であるが、少なくとも被服の縫製工程での作業性並びに被服のシルエット、立体感や表地の補強、厚地や薄地、柔らかさ、型さ等の表地とのなじみ具合等の微妙な調整を必要とするいわゆる芯拵えの構築、仕立てからも、従来の芯地箇所に合致させて使用するのが適当である。また、その取付けに際しては、芯地の立体感や表地の補強等の妨げとならず、衣服造形において表地と一体として衣服の骨組みの役割を果たす芯地自体が多機能性を発揮し得ることが好ましい。
【００１４】
　また、本発明では、多機能担持部材としては、表裏面を不織布若しくは織編物地とし、中間層がトルマリン鉱石の粉粒体を混合したフォ−ムラバ−である薄層シ−ト、或いはシリコ−ンゴムにトルマリン鉱石の粉粒体を混合したゴム弾性組成物をコ−ティング処理してなる薄層シ−ト、若しくはＳＢＲゴム発泡剤配合未加硫ゴムを溶液状でコ−ティング加工後、孔空け処理してなる薄層シ−トにパンティング孔空け加工してなる構成である。
【００１５】
　さらに、本発明において、前記多機能担持部材として、少なくとも表裏面が、不織布又は織編物のいずれかにより構成され、かつ中間層にシリコンゴムラテックス単体、或いはスチレンブタディエン単体、或いは天然ゴムラテックス及び合成ゴムラテックスを配合した混合物を主体とするゴムラテックス組成物に、トルマリンを含む混合粉体を混合し、加硫剤を配合した混合物を熱加硫してなるゴム弾性体若しくは、その発泡ゴム弾性体のいずれかより選ばれたフォ−ムラバ−を積層した積層シ−トからなる構成である。
【００１６】
　本発明に係る多機能性背広型被服では、衣服造形の表地と一体とし衣服の骨組みの役割を果たす芯地の取付け可能部位で、かつ着衣上も違和感などを惹起することない装着であって、縫製又は融着の手段により該多機能担持部材を取り付けた構造として達成される。これによって、該被服での芯地部材本来の保形性機能の維持と併せ、着衣上も違和感等の障害を惹起せず、加えてマイナイオンの放出並びに遠赤外線の放射、また、職場での喫煙の脱臭防止、被服脇部の発汗箇所での脱臭作用、衿部での汚れ抑止作用等を含めた多機能性を発揮し得るように働く。
【００１７】
　この理由は必ずしも明確ではないが、例えばマイナスイオンについてみると、該多機能担持部材からなる芯地自体がマイナス静電気の電場を形成する等の作用を発揮し、マイナスイオンの放出量の増大に寄与し、該被服の着装によって、たとえば肩凝りの治癒や頭痛の防止、さらにマイナスイオンによる脱臭作用により、職場での喫煙の脱臭防止、また、被服保管や格納時での殺菌等の効果を奏するものと推定される。
【００１８】
　また、近年、問題となっている電磁波障害についても、本発明での多機能担持部材は、生体を侵すといわれる電磁波についても効果を奏する。このため、被服構成中での特定場所、たとえば前身頃での胸増芯や接着芯或いは頭部の近傍位置の衿芯、さらに携帯電話の出し入れ格納でのポケットの人体に接する側に、該担持体からなる層着シ−ト又は薄層シ−トを装着する構成とすることができる。
【００１９】
　その理由は必ずしも明確ではないが、該担持体では、特に中間赤外線と強力な遠赤外線を放射し強力なマイナスイオンを放出する為、悪い１０００μｍ以上のマイクロ波や電波が進入してきても、中間赤外線の磁場で還元保護され、電磁波は還元中和する機能を発揮するように働くものと推定される。
【００２０】
　ベルト帯部では、たとえば帯部の全面での取り付けでなく円弧形に打ち抜いた該部材を適宜間隔を設けて配設した構成とし、取り付け層厚さの抑制やコスト低減を図った構成、または被服脇部の発汗箇所に脱臭の為の該部材の選択的な取り付け、職場制服やワ−キングウェア等では、人体疲労の回復、肩凝り、腰痛防止、職場喫煙の脱臭等のため、少なくとも衿芯や前立て、カフス箇所のごとき人体に接する基本箇所として内側に該多機能担持部材を縫製又は融着せしめた構成とすることができる。
【００２１】
　上記のように、本発明に係る多機能性背広型被服においては、衣服造形における表地と一体とし、かつ衣服の骨組みの役割を果たす芯地取り付け箇所に、多機能担持部材からなる芯地の構成とし、しかも衣服の型崩れを防ぎ、表地等に張りを持たせ、着装者の体型を整えて衣服造形美の形成には何らの支障がない構成とすることができる。
【００２２】
　また、芯地は、その目的に応じて選ばれる要素があるが、たとえば繊維の種類についてみても、木綿芯、麻芯、毛芯、強力レ−ヨン芯、ポリアミド芯、ポリエステル芯、ガラス繊維芯等のいずれかより選ばれたものを適宜使用することができる。該芯地の厚さは、その目的、使用箇所により選ばれるが、通常平均厚さ０．５〜１．０ｍｍの範囲に設定することが好ましい。
【００２３】
　さらに、軽くて柔軟性、通気性で皺になり難く、かつ耐洗濯性、つまり耐洗剤並びに耐ドライクリ−ニング性、加えて強度が強く、薄くて、アイロン掛け形状保持する等の諸条件を充足することが必要である。
【００２４】
　上記のワ−キングジャケット、若しくはワ−キングウェアを含むいわゆる背広型被服の下衣ズボン原型において、不織布若しくは織編物地に、シリコ−ンゴムにトルマリン鉱石の粉粒体を混合したゴム弾性組成物をコ−ティング処理してなる薄層シ−ト、若しくはＳＢＲゴム発泡剤配合未加硫ゴムを溶液状でコ−ティング加工後、孔空け処理してなる薄層シ−トの構成とする。また、必要により不織布若しくは織編物地叉はフォ−ムラバ−のいずれかに、トルマリン鉱石の粉体と希土類を含む鉱石粉体の素材を組み合わせからなる組成物によりコ−ティング加工が施されてなる多機能担持部材のいずれでも使用することができる。
【実施例１】
【００２５】
　以下、本発明の実施例を図面に基づいて説明する。
【００２６】
　図１は、本発明の一実施例を示す背広型被服の下衣ズボン原型の部分欠切裏面側展開説明図、図２は、図１の下衣ズボン原型の裏面側のベルト帯布地の内側に多機能担持部材を取り付けた構成を示す下衣ズボン原型の部分欠切裏面側展開説明図である。
【００２７】
　図１において、下衣ズボン原型１の裏面側で、２は腰裏、３は前身頃、４は後身頃、５は脇ポケット、６はピップポケット、７は前立、８は天狗裏、９は天狗ハナ、１０は前鋏、１１は釦、１２はシックである。交差斜線部１４の箇所は、本発明の多機能担持部材を取り付けた構成である。
【００２８】
　図２は、上記図１の下衣ズボン原型の裏面側展開説明図において、さらにベルト帯布地の人体に接する内側に、少なくとも２箇所以上の部位に、適宜間隔をもって本発明に係る多機能担持部材からなる貼着シ−ト１３を取り付けた構成を示すズボン原型の部分欠切裏面側展開説明図である。
【００２９】
　以上のとおり本発明に係る一実施例を詳述したが、具体的な構成はこの実施例に限られるものではなく、本発明の要旨を逸脱しない範囲の設計変更などがあっても本発明に含まれる。
【産業上の利用可能性】
【００３０】
　背広型被服の下衣ズボン原型に、マイナスイオンを放出する多機能性担持部材を芯地部材の形態として取り付けることにより、健康治療や疲労回復等に有用なマイナスイオン効果を発揮し得る。また、芯地での耐洗濯堅牢性、耐ドライクリーニング性、通気性等の諸機能を充足し、併せて縫製工程での格別装置の改装の必要なくコスト低減を図り得る。
【図面の簡単な説明】
【００３１】
【図１】背広型被服のズボン原型の部分欠切裏面側展開説明図である。
【図２】貼着シ−トを装着したズボン原型の部分欠切裏面側説明図である。
【符号の説明】
【００３２】
　　１　ズボン原型
　　２　腰裏
　　３　前身頃
　　４　後身頃
　　５　脇ポケット
　　６　ピップポケット
　　７　前立
　　８　天狗裏
　　９　天狗ハナ
　１０　前挟
　１１　釦
　１２　シック
　１３　貼着シ−ト
　１４　交差斜線部
【図１】
2004036075.tif 000003
【図２】
2004036075.tif 000004